(57)【要約】【課題】  管状部材を保持する保持部材の先端側の位置決めを行うことができる採血用ホルダを提供する。【解決手段】  採血用ホルダ３は、有天筒状の第１ホルダ５１と、第２ホルダ５２とを備える。第２ホルダ５２は、円筒状の本体部７１を備える。本体部７１の先端面７１ａには複数の切り欠き７１ｂが形成されている。本体部７１の切り欠き７１ｂが形成された部分のそれぞれには、板状の上保持部７２が形成されている。第１ホルダ５１の内周面の上部には、上保持部７２が外側に変形された場合に、上保持部７２の上端部を受ける受け部６５が形成されている。第２ホルダ５２の本体部７１を第１ホルダ５１の内部に挿入すると、本体部７１の先端面７１ａが、第１ホルダ５１の天面部の内面に当接することで第２ホルダ５２が軸線方向において位置決めされる。【選択図】  図４
2020192079.tif 000002
【特許請求の範囲】
【請求項１】
管状部材を保持する採血用ホルダであって、
天面部を有する有天筒状の第１保持部材と、
前記第１保持部材の内部に底面側から軸線方向に挿入されて前記第１保持部材に取り付けられ、その底面側から前記管状部材が内部に挿入される筒状の第２保持部材と、
を備え、
前記第２保持部材の筒状の先端面が前記第１保持部材の前記天面部の内面に当接することで、前記第２保持部材の前記軸線方向が位置決めされ、
前記第２保持部材には、前記先端面から基端側に向けて延びて径方向に貫通した複数の切り欠きが形成され、
前記第２保持部材の前記複数の切り欠きが形成された部分には、弾性変形可能に設けられ、前記第２保持部材の内部に挿入された前記管状部材により前記第２保持部材の径方向外側に変形されて、元の形状に復元する弾性変形力により前記管状部材を保持する複数の変形保持部が形成され、
前記複数の変形保持部は、変形した場合にも、その先端が前記第２保持部材の前記先端面よりも基端側に配置されていることを特徴とする採血用ホルダ。
【請求項２】
請求項１に記載の採血用ホルダにおいて、
前記第１保持部材の前記天面部の内面であって、前記第２保持部材の前記先端面が当接する部分を除いた範囲に、前記複数の変形保持部が前記第２保持部材の径方向外側に変形された場合に、前記複数の変形保持部の先端部を受ける凸状の複数の受け部が形成され、
前記第２保持部材の径方向外側に変形されて前記管状部材を保持した状態の前記複数の変形保持部と、前記第１保持部材の側面の内面との間には隙間が形成されていることを特徴とする採血用ホルダ。
【請求項３】
管状部材を保持する採血用ホルダであって、
天面部を有する有天筒状の第１保持部材と、
前記第１保持部材の内部に底面側から軸線方向に挿入されて前記第１保持部材に取り付けられ、その底面側から前記管状部材が内部に挿入される筒状の第２保持部材と、
を備え、
前記第２保持部材には、その基端部が前記第２保持部材に連結されて弾性変形可能に設けられ、前記第２保持部材の内部に挿入された前記管状部材により前記第２保持部材の径方向外側に変形されて、元の形状に復元する弾性変形力により前記管状部材を保持する複数の変形保持部が形成され、
前記第１保持部材には、前記複数の変形保持部が前記第２保持部材の径方向外側に変形された場合に、前記複数の変形保持部の先端部を受ける複数の受け部が形成され、
前記複数の変形保持部は、前記複数の変形保持部の先端部が前記複数の受け部に当接する第１挿入状態まで前記管状部材が前記第２保持部材の内部に挿入された場合に、その基端が前記管状部材の先端部外周面よりも前記第２保持部材の径方向内側に突出し、且つ、その先端が前記第２保持部材の径方向外側に曲げられた曲げ部が形成され、
前記曲げ部は、前記管状部材が前記曲げ部よりも先端側に突出する第２挿入状態まで挿入された場合に、前記曲げ方向とは逆方向に変形されて前記管状部材を保持することを特徴とする採血用ホルダ。
【発明の詳細な説明】
【技術分野】
【０００１】
本発明は、管状部材を保持する採血用ホルダに関する。
【背景技術】
【０００２】
従来、血液検査などで血液試料を採取する際には、採血用キットが使用される。採血用キットは、採血具で人体から採血し、この採血した血液試料を採血用ホルダに取付けた真空採血管に貯留するものであり、採血具と、この採血具が接続されるアダプタと、該アダプタが装着される採血用ホルダと、採血用ホルダにより保持される真空採血管とを備える。
【０００３】
特許文献１に記載の採血用ホルダは、天面部を有する有天筒状の第１アダプター（第１保持部材）及び筒状の第２アダプター（第２保持部材）を備え、第２保持部材の先端部には、弾性変形可能な板状の保持部が形成され、第２保持部材内に挿入された真空採血管により保持部を変形させ、この変形された保持部の弾性変形力により真空採血管を保持している。
【先行技術文献】
【特許文献】
【０００４】
【特許文献１】特開平５−３００８９９号公報
【発明の概要】
【発明が解決しようとする課題】
【０００５】
特許文献１では、真空採血管を第２保持部材に挿入して保持させる際、第２保持部材の保持部の弾性変形力を保つために、保持部を第１保持部材の天面部の内面に当接させることができない。このため、第２保持部材の先端側の位置決めを行うことができないという問題があった。
【０００６】
本発明は、以上の点に鑑み、管状部材を保持する保持部材の先端側の位置決めを行うことができる採血用ホルダを提供することを課題とする。
【課題を解決するための手段】
【０００７】
本発明の採血用ホルダは、管状部材を保持する採血用ホルダであって、天面部を有する有天筒状の第１保持部材と、前記第１保持部材の内部に底面側から軸線方向に挿入されて前記第１保持部材に取り付けられ、その底面側から前記管状部材が内部に挿入される筒状の第２保持部材と、を備え、前記第２保持部材の筒状の先端面が前記第１保持部材の前記天面部の内面に当接することで、前記第２保持部材の前記軸線方向が位置決めされ、前記第２保持部材には、前記先端面から基端側に向けて延びて径方向に貫通した複数の切り欠きが形成され、前記第２保持部材の前記複数の切り欠きが形成された部分には、弾性変形可能に設けられ、前記第２保持部材の内部に挿入された前記管状部材により前記第２保持部材の径方向外側に変形されて、元の形状に復元する弾性変形力により前記管状部材を保持する複数の変形保持部が形成され、前記複数の変形保持部は、変形した場合にも、その先端が前記第２保持部材の前記先端面よりも基端側に配置されていることを特徴とする。
【０００８】
本発明によれば、第２保持部材の変形保持部により管状部材を保持しながら、第２保持部材の先端面を第１保持部材の天面部の内面に当接させることで、第２保持部材の先端部を先端で位置決めすることができる。
【０００９】
また、前記第１保持部材の前記天面部の内面であって、前記第２保持部材の前記先端面が当接する部分を除いた範囲に、前記複数の変形保持部が前記第２保持部材の径方向外側に変形された場合に、前記複数の変形保持部の先端部を受ける凸状の複数の受け部が形成され、前記第２保持部材の径方向外側に変形されて前記管状部材を保持した状態の前記複数の変形保持部と、前記第１保持部材の側面の内面との間には隙間が形成されていることが好ましい。
【００１０】
この構成によれば、例えば、基準よりも外径の大きい管状部材の場合でも、変形保持部を上記隙間の分だけ更に径方向外側に変形させることができ、基準よりも外径の大きい管状部材を保持することができる。
【００１１】
本発明の採血用ホルダは、管状部材を保持する採血用ホルダであって、天面部を有する有天筒状の第１保持部材と、前記第１保持部材の内部に底面側から軸線方向に挿入されて前記第１保持部材に取り付けられ、その底面側から前記管状部材が内部に挿入される筒状の第２保持部材と、を備え、前記第２保持部材には、その基端部が前記第２保持部材に連結されて弾性変形可能に設けられ、前記第２保持部材の内部に挿入された前記管状部材により前記第２保持部材の径方向外側に変形されて、元の形状に復元する弾性変形力により前記管状部材を保持する複数の変形保持部が形成され、前記第１保持部材には、前記複数の変形保持部が前記第２保持部材の径方向外側に変形された場合に、前記複数の変形保持部の先端部を受ける複数の受け部が形成され、前記複数の変形保持部は、前記複数の変形保持部の先端部が前記複数の受け部に当接する第１挿入状態まで前記管状部材が前記第２保持部材の内部に挿入された場合に、その基端が前記管状部材の先端部外周面よりも前記第２保持部材の径方向内側に突出し、且つ、その先端が前記第２保持部材の径方向外側に曲げられた曲げ部が形成され、前記曲げ部は、前記管状部材が前記曲げ部よりも先端側に突出する第２挿入状態まで挿入された場合に、前記曲げ方向とは逆方向に変形されて前記管状部材を保持することを特徴とする。なお、曲げ部を複数形成するようにしてもよい。また、受け部としては、凸部や開口等が挙げられる。受け部が開口の場合には、変形保持部の先端部が開口の縁部に当接して受けられる。
【００１２】
本発明によれば、曲げ部は、初期の曲げ方向とは逆方向に変形された状態で管状部材を保持するので、曲げ部が逆方向に変形されないものに比べて、第２保持部材の径方向外側に変形された際の複数の変形保持部の変形量を増加することができ、複数の変形保持部による管状部材を保持する保持力を高めることができる。
【図面の簡単な説明】
【００１３】
【図１】本実施形態の採血用キットを示す説明図。
【図２】採血用ホルダの第１ホルダと第２ホルダとを示す斜視図。
【図３】採血用ホルダの第１ホルダと第２ホルダとを示す図２のＩＩＩ−ＩＩＩ線断面図。
【図４】採血用ホルダの第１ホルダと第２ホルダとシールタイプの真空採血管とを示す図２のＩＶ−ＩＶ線断面図。
【図５】ゴム栓タイプの真空採血管を挿入した状態の採血用ホルダの第１ホルダと第２ホルダとゴム栓タイプの真空採血管とを示す図２のＩＩＩ−ＩＩＩ線断面図。
【図６】ゴム栓タイプの真空採血管を更に挿入した状態の採血用ホルダの第１ホルダと第２ホルダとゴム栓タイプの真空採血管とを示す図２のＩＩＩ−ＩＩＩ線断面図。
【図７】ゴム栓タイプの真空採血管を保持した状態の採血用ホルダの第１ホルダと第２ホルダとゴム栓タイプの真空採血管とを示す図２のＩＩＩ−ＩＩＩ線断面図。
【図８】オーバーキャップタイプの真空採血管を挿入した状態の採血用ホルダの第１ホルダと第２ホルダとオーバーキャップタイプの真空採血管とを示す図２のＩＩＩ−ＩＩＩ線断面図。
【図９】オーバーキャップタイプの真空採血管を更に挿入した状態の採血用ホルダの第１ホルダと第２ホルダとオーバーキャップタイプの真空採血管とを示す図２のＩＩＩ−ＩＩＩ線断面図。
【図１０】オーバーキャップタイプの真空採血管を保持した状態の採血用ホルダの第１ホルダと第２ホルダとオーバーキャップタイプの真空採血管とを示す図２のＩＩＩ−ＩＩＩ線断面図。
【発明を実施するための形態】
【００１４】
図を参照して、本発明の実施形態の採血用キット１を詳しく説明する。
【００１５】
図１に示すように、採血用キット１は、採血具（以下、翼状針という）４０で人体から採血し、この採血した血液を真空採血管２（管状部材）に貯留するものである。本実施形態では、真空採血管２として、ゴム栓タイプの真空採血管２Ａ（図５〜図７参照）、オーバーキャップタイプの真空採血管２Ｂ（図８〜図１０参照）、及びシールタイプの真空採血管２Ｃ（図４参照）が用いられる。
【００１６】
採血用キット１は、血液を貯留する真空採血管２を保持する採血用ホルダ３と、該採血用ホルダ３の後述する第１ホルダ５１の装着部６２に取付けられるアダプタ２０と、該アダプタ２０に接続されるコネクタ３０と、該コネクタ３０から延びる可撓性チューブ３１と、該可撓性チューブ３１に接続される翼状針４０とを備えている。
【００１７】
アダプタ２０には、周知の針基（図示せず）に針管３２が設けられている。該針管３２は、アダプタ２０を採血用ホルダ３に装着するまで針管３２を保護するためのゴムスリーブ（図示せず）で覆われている。別体となっていたアダプタ２０を、採血用ホルダ３に取付ける際は、針管３２がゴムスリーブで覆われた状態で取付けられる。アダプタ２０を採血用ホルダ３に取付けた後に、針管３２に突き刺す状態で真空採血管２が採血用ホルダ３に保持される。
【００１８】
翼状針４０は、前端が鋭利な針管４１を支持するハブ４２と、ハブ４２に外嵌された１対の翼状部材４３とを備える。
【００１９】
図２〜図４に示すように、アダプタ２０は、コネクタ３０（図１参照）を介して翼状針４０（図１参照）に接続可能で採血した血液が流れる中空の本体部２１と、該本体部２１の基端側に設けられ装着部６２の先端面に当接するフランジ部２２と、該フランジ部２２から本体部２１と反対方向に延設されて、円筒状の装着部６２の貫通孔に挿入される円筒状の突出部２３とを備えている。
【００２０】
突出部２３の外周面には、雄ねじ部２７が形成されている。この雄ねじ部２７は、詳しくは後述する第１ホルダ５１の雌ねじ部６３に螺合される。また、アダプタ２０には針管３２を挿入する貫通孔２９が形成されている。
【００２１】
[採血用ホルダ]
採血用ホルダ３は、第１ホルダ５１（第１保持部材）と、第２ホルダ５２（第２保持部材）とを備え、第１ホルダ５１にアダプタ２０が取り付けられている。
【００２２】
第１ホルダ５１は、天面部（図２〜図４における上部）を有する有天円筒状に形成され、天面部には、筒状の装着部６２が設けられている。装着部６２は、アダプタ２０を挿入する部分に雌ねじ部６３が形成されている。
【００２３】
第１ホルダ５１の内周面の上部には、詳しくは後述する上保持部７２が外側に変形された場合に、上保持部７２の上端部を受ける受け部６５が形成されている。受け部６５は、先端側（図３及び図４における上側）から基端側（図３及び図４における下側）に向けて第１ホルダ５１の径方向外側に傾斜する第１傾斜部６５ａと、第１傾斜部６５ａに連続し、先端側から基端側に向けて第１ホルダ５１の径方向外側に第２傾斜部６５ｂとを備える。第２傾斜部６５ｂは、第１傾斜部６５ａより傾斜角度が大きい。
【００２４】
また、第１ホルダ５１の内周面には、第２ホルダ５２と係合するための係合凸部６６が全周に亘って形成されている。
【００２５】
第２ホルダ５２は、円筒状の本体部７１を備える。本体部７１の先端面７１ａ（図２〜図４における上面）には複数（例えば、９０°ピッチで４個）の切り欠き７１ｂが形成されている。本体部７１の４個の切り欠き７１ｂが形成された部分のそれぞれには、板状の上保持部７２（変形保持部）が形成されている。本実施形態では、上保持部７２は９０°ピッチで４個形成されている。
【００２６】
上保持部７２は、根元部である第１上保持部７２ａと、中間部である第２上保持部７２ｂと、先端部である第３上保持部７２ｃとを備える。
【００２７】
第１上保持部７２ａと第２上保持部７２ｂとは、第２ホルダ５２の径方向外側（以下、単に径方向外側という）に屈曲した第１屈曲部７２ｄ（曲げ部）により連結されている。第２上保持部７２ｂと第３上保持部７２ｃとは、径方向外側に屈曲した第２屈曲部７２ｅ（曲げ部）により連結されている。なお、第１屈曲部７２ｄ及び第２屈曲部７２ｅに代えて、湾曲部（曲げ部）を形成するようにしてもよい。
【００２８】
第１上保持部７２ａは、変形されていない基準状態（図３参照）では、先端側（図２〜図４における上側）に向かうにつれて第２ホルダ５２の径方向内側（以下、単に径方向内側という）に傾斜して形成されている。第２上保持部７２ｂは、基準状態では、軸線方向（図２〜図４における上下方向）に略平行に形成されている。第３上保持部７２ｃは、基準状態では、先端側（図２〜図４における上側）に向かうにつれて径方向外側に傾斜して形成されている。
【００２９】
４個の上保持部７２は、詳しくは後述するように、弾性変形力によりゴム栓タイプの真空採血管２Ａ及びオーバーキャップタイプの真空採血管２Ｂを付勢して、付勢によりゴム栓タイプの真空採血管２Ａ及びオーバーキャップタイプの真空採血管２Ｂを保持する。第１ホルダ５１の受け部６５は、本体部７１の４個の切り欠き７１ｂが形成された部分のそれぞれに対応した位置であって、上保持部７２に対応して４個形成されている。
【００３０】
本体部７１の外周面には、第１ホルダ５１の係合凸部６６が係合（嵌合）される係合凹部７５が全周に亘って形成されている。
【００３１】
第２ホルダ５２の本体部７１を第１ホルダ５１の内部に挿入すると、本体部７１の先端面７１ａが、第１ホルダ５１の天面部（図２〜図４における上端部）の内面に当接することで第２ホルダ５２が軸線方向において位置決めされる。さらに、この状態では、第１ホルダ５１の係合凸部６６が、第２ホルダ５２の係合凹部７５に係合（嵌合）されて、第１ホルダ５１が第２ホルダ５２に取り付けられる。
【００３２】
本実施形態では、ゴム栓タイプの真空採血管２Ａ（図５〜図７参照）、及びオーバーキャップタイプの真空採血管２Ｂ（図８〜図１０参照）を保持する上保持部７２は、変形した場合にも、その先端（第３上保持部７２ｃの先端）が本体部７１の先端面７１ａよりも基端側（図２〜図４における下端側）に配置されている。すなわち、上保持部７２は、変形した場合にも本体部７１の先端面７１ａよりも突出することがない。
【００３３】
これにより、上保持部７２により各真空採血管２Ａ，２Ｂを保持しながらも、第２ホルダ５２の先端面７１ａを、第１ホルダ５１の天面部の内面に当接することで、第２ホルダ５２を軸線方向において位置決めすることができる。
【００３４】
本体部７１の内周面には、内側に突出した下保持部７３が複数（例えば、９０°ピッチで４個）形成されている。これら４個の下保持部７３は、上保持部７２とは４５°ずれた位置に形成されている。４個の下保持部７３は、シールタイプの真空採血管２Ｃを保持する（図４参照）。
【００３５】
また、本体部７１の内周面には、シールタイプの真空採血管２Ｃの先端面（図４における上端面）が当接する凸部７１ｃが全周に亘って形成されている。本体部７１の内部に挿入されたシールタイプの真空採血管２Ｃは、先端面が凸部７１ｃに当接することで、それ以上の挿入が規制されて位置決めされる。
【００３６】
[ゴム栓タイプの真空採血管の取付]
図５に示すように、ゴム栓タイプの真空採血管２Ａは、例えばガラス製の採血管本体８１と、採血管本体８１の上部に取り付けられたゴム栓ＲＡとを備える。ゴム栓ＲＡは、周知のものであり、その詳細な説明は省略するが、針管３２が挿通可能なスリット（図示せず）が形成されている。
【００３７】
ゴム栓タイプの真空採血管２Ａを採血用ホルダ３に取り付ける場合、図５に示すように、ゴム栓タイプの真空採血管２Ａを、第２ホルダ５２の下方から第２ホルダ５２の内部に挿入する。ゴム栓タイプの真空採血管２Ａを、第２ホルダ５２の内部に挿入すると、ゴム栓ＲＡが第２ホルダ５２の上保持部７２の第１上保持部７２ａに当接する。
【００３８】
ゴム栓タイプの真空採血管２Ａを、図５の位置から図６の位置（第１挿入状態）まで挿入すると、上保持部７２がゴム栓ＲＡにより押圧され、上保持部７２の第３上保持部７２ｃが受け部６５の第１傾斜部６５ａに当接して位置決めされた状態で上保持部７２が径方向外側に変形する。本実施形態では、上保持部７２の第１上保持部７２ａの根元部（基端部）は、本体部７１に連結されており、上保持部７２は、第１上保持部７２ａの根元部を支点として回転するように変形する。
【００３９】
上保持部７２は、元の形状（図５参照）に戻ろうとする弾性変形力を有しており、この弾性変形力により、ゴム栓ＲＡを有するゴム栓タイプの真空採血管２Ａには、Ｆ１の方向の力が加わる。
【００４０】
上保持部７２の第１屈曲部７２ｄ及び第２屈曲部７２ｅは、図６に示す状態（上保持部７２の第３上保持部７２ｃを受け部６５の第１傾斜部６５ａで受けた状態）では、基端がゴム栓タイプの真空採血管２Ａの先端部外周面よりも径方向内側に突出し、且つ、先端が径方向外側に曲げられた構造となっている。
【００４１】
ゴム栓タイプの真空採血管２Ａを、図６の位置から図７の位置（第２挿入状態）まで挿入すると、上保持部７２がゴム栓ＲＡにより押圧されて、上保持部７２の第３上保持部７２ｃが受け部６５の第１傾斜部６５ａに当接して位置決めされた状態で上保持部７２が更に径方向外側に変形する。
【００４２】
第３上保持部７２ｃは、図７の状態から更に径方向外側には変形することができないため、ゴム栓タイプの真空採血管２Ａを図７の状態から更に奥側に挿入することができず、ゴム栓タイプの真空採血管２Ａの軸線方向における位置が位置決めされる。
【００４３】
図７に示す状態では、上保持部７２の弾性変形力により、ゴム栓ＲＡを有するゴム栓タイプの真空採血管２Ａには、Ｆ２の方向の力が加わる。このＦ２の方向の力により、ゴム栓タイプの真空採血管２Ａは、採血用ホルダ３に保持される。
【００４４】
本実施形態では、上保持部７２を、傾斜角度の異なる第１〜第３上保持部７２ａ〜７２ｃから構成しているので、例えば、上保持部７２が、第１上保持部７２ａの根元部と第３上保持部７２ｃの先端部とを直線で結んだ直線状の形状であるものに比べて、ゴム栓タイプの真空採血管２Ａを装着位置まで挿入した場合の上保持部７２の変形量を大きくすることができる。これにより、ゴム栓タイプの真空採血管２Ａにかかる付勢力も大きくすることができ、ゴム栓タイプの真空採血管２Ａを抜け難く確実に保持することができる。
【００４５】
さらに、本実施形態では、上保持部７２の第１屈曲部７２ｄ及び第２屈曲部７２ｅは、図６に示す第１挿入状態（上保持部７２の第３上保持部７２ｃが受け部６５の第１傾斜部６５ａに当接して位置決めされた状態）では、基端がゴム栓タイプの真空採血管２Ａの先端部外周面よりも径方向内側に突出し、且つ、先端が径方向外側に曲げられた構造となっている。
【００４６】
上記構造により、図７に示すように、ゴム栓タイプの真空採血管２Ａを装着位置（第２挿入状態）まで挿入すると、第１屈曲部７２ｄは、径方向外側に屈曲した状態から逆方向となる径方向内側に変形する。これにより、第１屈曲部７２ｄが径方向内側に変形しないものに比べて、ゴム栓タイプの真空採血管２Ａを装着位置まで挿入した場合の第１，第２上保持部７２ａ，７２ｂの変形量を大きくすることができる。
【００４７】
また、第２屈曲部７２ｅは、径方向外側に屈曲した状態から径方向内側に屈曲した状態まで変形する。これにより、第２屈曲部７２ｅが径方向外側に屈曲した状態のままのものに比べて、ゴム栓タイプの真空採血管２Ａを装着位置まで挿入した場合の第２，第３上保持部７２ｂ，７２ｃの変形量を大きくすることができる。なお、第１屈曲部７２ｄも、径方向外側に屈曲した状態から径方向内側に屈曲した状態まで変形させるような構造にしてもよい。
【００４８】
これにより、ゴム栓タイプの真空採血管２Ａにかかる付勢力も大きくすることができ、ゴム栓タイプの真空採血管２Ａを抜け難く確実に保持することができる。なお、第２屈曲部７２ｅは、径方向外側に屈曲した状態から径方向内側に屈曲した状態まで変形させなくてもよく、少なくとも屈曲方向（径方向外側）とは逆方向（径方向内側）に変形されればよい。
【００４９】
本実施形態では、図７に示すように、上保持部７２によりゴム栓タイプの真空採血管２Ａを保持した状態において、上保持部７２の第１上保持部７２ａ及び第２上保持部７２ｂと、第１ホルダ５１の側面の内面との間に隙間が形成されるように、受け部６５は、第１ホルダ５１の上部にのみ形成している。これにより、例えば、基準よりも外径の大きいゴム栓タイプの真空採血管２Ａの場合でも、上保持部７２を図７の状態より更に径方向外側に変形させることができ、基準よりも外径の大きいゴム栓タイプの真空採血管２Ａを保持することができる。
【００５０】
[オーバーキャップタイプの真空採血管の取付]
図８に示すように、オーバーキャップタイプの真空採血管２Ｂは、例えばガラス製の採血管本体９１と、採血管本体９１の上部に取り付けられたゴム栓ＲＢと、採血管本体９１及びゴム栓ＲＢを覆うオーバーキャップ９２とを備える。ゴム栓ＲＢは、周知のものであり、その詳細な説明は省略するが、針管３２が挿通可能なスリット（図示せず）が形成されている。
【００５１】
ゴム栓ＲＢには、外周側に突出した突出部ＲＢａが形成され、オーバーキャップ９２の内周面には、突出部ＲＢａを保持する保持突出部９２ａが形成されている。また、オーバーキャップ９２の上面には、針管３２を挿通させるための開口９２ｂが形成されている。
【００５２】
オーバーキャップタイプの真空採血管２Ｂを採血用ホルダ３に取り付ける場合、図８に示すように、オーバーキャップタイプの真空採血管２Ｂを、第２ホルダ５２の下方から第２ホルダ５２の内部に挿入する。オーバーキャップタイプの真空採血管２Ｂを、第２ホルダ５２の内部に挿入すると、オーバーキャップ９２が第２ホルダ５２の上保持部７２の第１上保持部７２ａに当接する。
【００５３】
オーバーキャップタイプの真空採血管２Ｂを、図８の位置から図９の位置まで挿入すると、上保持部７２がオーバーキャップ９２により押圧されて、上保持部７２の第３上保持部７２ｃが受け部６５の第１傾斜部６５ａに当接して位置決めされた状態で上保持部７２が径方向外側に変形する。上保持部７２は、元の形状（図８参照）に戻ろうとする弾性変形力を有しており、この弾性変形力により、オーバーキャップ９２を有するオーバーキャップタイプの真空採血管２Ｂには、Ｆ３の方向の力が加わる。
【００５４】
上保持部７２の第１屈曲部７２ｄ及び第２屈曲部７２ｅは、図９に示す状態（上保持部７２の第３上保持部７２ｃを受け部６５の第１傾斜部６５ａで受けた状態）では、オーバーキャップタイプの真空採血管２Ｂの先端部外周面よりも径方向内側に突出し、且つ、径方向外側に曲げられた構造となっている。
【００５５】
オーバーキャップタイプの真空採血管２Ｂを、図９の位置から図１０の位置まで挿入すると、オーバーキャップ９２の先端面が第１ホルダ５１の天面部の内面に当接して、オーバーキャップタイプの真空採血管２Ｂの軸線方向の位置が位置決めされる。さらに、上保持部７２の弾性変形力により、オーバーキャップ９２を有するオーバーキャップタイプの真空採血管２Ｂには、Ｆ４の方向の力が加わる。このＦ４の方向の力により、オーバーキャップタイプの真空採血管２Ｂは、採血用ホルダ３に保持される。
【００５６】
本実施形態では、上保持部７２を、傾斜角度の異なる第１〜第３上保持部７２ａ〜７２ｃから構成しているので、第２上保持部７２ｂは、オーバーキャップタイプの真空採血管２Ｂの外周にほぼ平行な状態で、オーバーキャップタイプの真空採血管２ＢをＦ３の方向に付勢することができる。これにより、例えば、上保持部７２が直線状の形状であり、オーバーキャップタイプの真空採血管２Ｂを図１０における斜め下方向に付勢するものに比べて、オーバーキャップタイプの真空採血管２Ｂを抜け難く確実に保持することができる。
【００５７】
さらに、本実施形態では、上保持部７２の第１屈曲部７２ｄ及び第２屈曲部７２ｅは、図９に示す状態（上保持部７２の第３上保持部７２ｃが受け部６５の第１傾斜部６５ａに当接して位置決めされた状態）では、オーバーキャップタイプの真空採血管２Ｂの先端部外周面よりも径方向内側に突出し、且つ、径方向外側に曲げられた構造となっている。
【００５８】
上記構造により、図１０に示すように、オーバーキャップタイプの真空採血管２Ｂを装着位置まで挿入すると、第１屈曲部７２ｄは、径方向外側に屈曲した状態から径方向内側に変形する。これにより、第１屈曲部７２ｄが径方向内側に変形しないものに比べて、オーバーキャップタイプの真空採血管２Ｂを装着位置まで挿入した場合の第１，第２上保持部７２ａ，７２ｂの変形量を大きくすることができる。
【００５９】
また、第２屈曲部７２ｅは、径方向外側に屈曲した状態から径方向内側に変形する。これにより、第２屈曲部７２ｅが径方向内側に変形しないものに比べて、オーバーキャップタイプの真空採血管２Ｂを装着位置まで挿入した場合の第２，第３上保持部７２ｂ，７２ｃの変形量を大きくすることができる。
【００６０】
これにより、オーバーキャップタイプの真空採血管２Ｂにかかる付勢力も大きくすることができ、オーバーキャップタイプの真空採血管２Ｂを抜け難く確実に保持することができる。
【００６１】
本実施形態では、図１０に示すように、上保持部７２によりオーバーキャップタイプの真空採血管２Ｂを保持した状態において、上保持部７２の第１上保持部７２ａ及び第２上保持部７２ｂと、第１ホルダ５１の側面の内面との間に隙間が形成されるように、受け部６５は、第１ホルダ５１の上部にのみ形成している。これにより、例えば、基準よりも外径の大きいオーバーキャップタイプの真空採血管２Ｂの場合でも、上保持部７２を図７の状態より更に径方向外側に変形させることができ、基準よりも外径の大きいオーバーキャップタイプの真空採血管２Ｂを保持することができる。
【００６２】
[シールタイプの真空採血管の取付]
図４に示すように、シールタイプの真空採血管２Ｃは、例えばガラス製の採血管本体１０１と、採血管本体１０１の外周面を覆うゴム製のカバー１０２と、採血管本体１０１の上面に取り付けられたシール１０３とを備える。カバー１０２の外周面には、外周側に突出した突出部１０２ａが形成されている。シール１０３は、周知のものであり、その詳細な説明は省略するが、針管３２が挿通可能である。
【００６３】
シールタイプの真空採血管２Ｃを採血用ホルダ３に取り付ける場合、図４に示すように、シールタイプの真空採血管２Ｃを、第２ホルダ５２の下方から第２ホルダ５２の内部に挿入する。シールタイプの真空採血管２Ｃを第２ホルダ５２の内部に挿入すると、カバー１０２の先端面が、第２ホルダ５２の本体部７１の凸部７１ｃに当接して、それ以上の挿入が規制され、シールタイプの真空採血管２Ｃの軸線方向の位置が位置決めされる。さらに、カバー１０２の突出部１０２ａが、第２ホルダ５２の４個の下保持部７３により保持される。これにより、シールタイプの真空採血管２Ｃは、採血用ホルダ３に取り付けられる。なお、カバー１０２の上保持部７２に当接した部分は上保持部７２の形状に沿って変形される。
【００６４】
このように、本発明の採血用ホルダ３によれば、ゴム栓タイプの真空採血管２Ａ、オーバーキャップタイプの真空採血管２Ｂ、及びシールタイプの真空採血管の２Ｃいずれも保持することができる。
【００６５】
シールタイプの真空採血管の２Ｃは、他の真空採血管２Ａ，２Ｂよりも太径であるため、シールタイプの真空採血管の２Ｃも上保持部７２により保持する場合、上保持部７２が最も外側に変形する。このため、シールタイプの真空採血管の２Ｃを保持する際に最適な弾性変形力となるように上保持部７２を形成すると、最小径のオーバーキャップタイプの真空採血管２Ｂを保持する力（上保持部７２の弾性変形力）が小さくなり、抜けやすくなる。
【００６６】
本実施形態では、第２ホルダ５２の上保持部７２により、ゴム栓タイプの真空採血管２Ａ、及びオーバーキャップタイプの真空採血管２Ｂを保持し、第２ホルダ５２の下保持部７３により、シールタイプの真空採血管の２Ｃを保持するので、シールタイプの真空採血管の２Ｃを保持する際に最適な弾性変形力となるように上保持部７２を形成する必要が無く、上記抜けやすいという問題の発生を防止することができる。
【００６７】
なお、上記実施形態では、採血具４０を翼状針としたが、これに限定されず、採血できれば１本の針管であってもよい。
【００６８】
また、上記実施形態では、真空採血管を保持する採血用ホルダに本発明を実施しているが、本発明は、管状部材を保持するホルダであれば実施可能であり、例えば、注射器を保持するホルダに実施してもよい。
【００６９】
さらに、上記実施形態では、上保持部７２として、第２ホルダ５２の軸線方向に延びる変形保持部を形成しているが、変形した場合にも第２ホルダ５２の筒状の先端面７１ａから突出しなければよく、第２ホルダ５２の周方向に延びる変形保持部を形成するようにしてもよい。
【符号の説明】
【００７０】
１…採血用キット、２Ａ…ゴム栓タイプの真空採血管（管状部材）、２Ｂ…オーバーキャップタイプの真空採血管（管状部材）、２Ｃ…シールタイプの真空採血管（管状部材）、３…採血用ホルダ、５１…第１ホルダ５１（第１保持部材）、５２…第２ホルダ（第２保持部材）、６５…受け部、７１…本体部、７１ａ…先端面、７１ｂ…切り欠き、７２…上保持部（変形保持部）、７２ａ…第１上保持部、７２ｂ…第２上保持部、７２ｃ…第３上保持部、７２ｄ…第１屈曲部（曲げ部）、７２ｅ…第２屈曲部（曲げ部）
【図１】
2020192079.tif 000003
【図２】
2020192079.tif 000004
【図３】
2020192079.tif 000005
【図４】
2020192079.tif 000006
【図５】
2020192079.tif 000007
【図６】
2020192079.tif 000008
【図７】
2020192079.tif 000009
【図８】
2020192079.tif 000010
【図９】
2020192079.tif 000011
【図１０】
2020192079.tif 000012